(57)【要約】【課題】より利便性の高いプログラム情報に係るリストを提供することが可能な情報記録再生装置、情報記録再生装置におけるリスト作成方法および、リスト作成処理プログラムを提供する。【課題手段】複数のプログラム情報とプログラム管理情報とが対応付けられて記録された情報データベースを備え、前記情報データベースに記録されたプログラム情報を再生する情報記録再生装置において、ユーザから、前記プログラム情報の検索条件の入力を受付ける検索条件受付手段と、前記情報データベースにおける前記プログラム管理情報に基づいて、前記受付けられた検索条件を満足するプログラム情報を特定するプログラム情報特定手段と、前記特定されたプログラム情報のリストを作成するリスト作成手段と、前記作成された前記リストを前記検索条件に対応付けて記憶手段に記憶するリスト記憶手段と、を備えるように構成する。【選択図】　図２
2004005862.tif 000002
【特許請求の範囲】
【請求項１】
複数のプログラム情報とプログラム管理情報とが対応付けられて記録された情報データベースを備え、前記情報データベースに記録されたプログラム情報を再生する情報記録再生装置において、
ユーザから、前記プログラム情報の検索条件の入力を受付ける検索条件受付手段と、
前記情報データベースにおける前記プログラム管理情報に基づいて、前記受付けられた検索条件を満足するプログラム情報を特定するプログラム情報特定手段と、
前記特定されたプログラム情報のリストを作成するリスト作成手段と、
前記作成された前記リストを前記検索条件に対応付けて記憶手段に記憶するリスト記憶手段と、を備えることを特徴とする情報記録再生装置。
【請求項２】
請求項１に記載の情報記録再生装置において、
前記作成された前記リストを表示画面上に表示するリスト表示手段を備えることを特徴とする情報記録再生装置。
【請求項３】
請求項１に記載の情報記録再生装置において、
ユーザから前記リストの表示指示入力を受付けるリスト表示指示受付手段と、前記リストの表示指示入力が受付けられた場合には、前記記憶手段に記憶された前記リストを読み出し表示画面上に表示するリスト表示手段と、を備えることを特徴とする情報記録再生装置。
【請求項４】
請求項１乃至３の何れか一項に記載の情報記録再生装置において、
前記作成された前記リストに基づき、ユーザから前記プログラム情報の選択を受付けるプログラム情報選択受付手段と、
前記選択されたプログラム情報を再生する情報再生手段と、を備えることを特徴とする情報記録再生装置。
【請求項５】
請求項１乃至４の何れか一項に記載の情報記録再生装置において、
プログラム管理情報が付与されたプログラム情報を新たに前記情報データベースに記録する情報記録手段と、
前記新たに記録されるプログラム情報が、前記記憶手段に記憶された前記リストに対応する検索条件を満足するか否かを当該プログラム情報に対応するプログラム管理情報に基づいて判別し、満足する検索条件に対応する前記リストに、当該プログラム情報を追加するリスト追加手段と、を備えることを特徴とする情報記録再生装置。
【請求項６】
請求項１乃至５の何れか一項に記載の情報記録再生装置において、前記プログラム情報は、楽曲データであることを特徴とする情報記録再生装置。
【請求項７】
複数のプログラム情報とプログラム管理情報とが対応付けられて記録された情報データベースを備え、前記情報データベースに記録されたプログラム情報を再生する情報記録再生装置におけるリスト作成方法において、
ユーザから、前記プログラム情報の検索条件の入力を受付ける検索条件受付工程と、
前記情報データベースにおける前記プログラム管理情報に基づいて、前記受付けられた検索条件を満足するプログラム情報を特定するプログラム情報特定工程と、
前記特定されたプログラム情報のリストを作成するリスト作成工程と、
前記作成された前記リストを前記検索条件に対応付けて記憶手段に記憶するリスト記憶工程と、を備えることを特徴とする情報記録再生装置におけるリスト作成方法。
【請求項８】
請求項７に記載の情報記録再生装置におけるリスト作成方法において、
プログラム管理情報が付与されたプログラム情報を新たに前記情報データベースに記録する情報記録工程と、
前記新たに記録されるプログラム情報が、前記記憶手段に記憶された前記リストに対応する検索条件を満足するか否かを当該プログラム情報に対応するプログラム管理情報に基づいて判別し、満足する検索条件に対応する前記リストに、当該プログラム情報を追加するリスト追加工程と、を備えることを特徴とする情報記録再生装置におけるリスト作成方法。
【請求項９】
複数のプログラム情報とプログラム管理情報とが対応付けられて記録された情報データベースを備え、前記情報データベースに記録されたプログラム情報を再生する情報記録再生装置に含まれるコンピュータを、
前記情報データベースにおける前記プログラム管理情報に基づいて、ユーザにより入力された検索条件を満足するプログラム情報を特定するプログラム情報特定手段、
前記特定されたプログラム情報のリストを作成するリスト作成手段、
前記作成された前記リストを前記検索条件に対応付けて記憶手段に記憶するリスト記憶手段、として機能させることを特徴とするリスト作成処理プログラム。
【請求項１０】
請求項９に記載のリスト作成処理プログラムにおいて、
前記コンピュータを、
前記新たに記録されるプログラム情報が、前記記憶手段に記憶された前記リストに対応する検索条件を満足するか否かを当該プログラム情報に対応するプログラム管理情報に基づいて判別し、満足する検索条件に対応する前記リストに、当該プログラム情報を追加するリスト追加手段として機能させることを特徴とするリスト作成処理プログラム。
【発明の詳細な説明】
【０００１】
【発明の属する技術分野】
複数のプログラム情報とプログラム管理情報とが対応付けられて記録された情報データベースを備え、情報データベースに記録されたプログラム情報を再生する情報記録再生装置の技術分野に関する。
【０００２】
【従来の技術】
近年、ＨＤＤ（ハードディスク）などの記録媒体の大容量化や、ＭＰ（ＭＰＥＧ　Ａｕｄｉｏ　Ｌａｙｅｒ）３、ＡＴＲＡＣ（Ａｄａｐｔｉｖｅ　ＴＲａｎｓｆｏｒｍ　Ａｃｏｕｓｔｉｃ　Ｃｏｄｉｎｇ）３などのデータ圧縮技術の進展により、ユーザが、情報記録再生装置を使用し、例えば、多くのＣＤ（Ｃｏｍｐａｃｔ　Ｄｉｓｃ）や、ＭＤ（Ｍｉｎｉ　Ｄｉｓｃ）、ＤＶＤ（Ｄｉｇｉｔａｌ　Ｖｅｒｓａｔｉｌｅ　Ｄｉｓｃ）などに記録されたプログラム情報、例えば、楽曲データや映像データを一つの記録媒体（例えば、ＨＤＤ）に記録して再生することができるようになった。
【０００３】
このような従来の情報記録再生装置においては、ユーザは、例えば、記録媒体に記録された多くの楽曲データのうちから好みの楽曲データを選択して、プレイリストを作成することができる。このようなプレイリストを作成するには、例えば、楽曲データファイルを何らかの検索条件により検索して一覧表示させた後、かかる一覧表示の中から所望の楽曲データファイルを一つ一つ選択してプレイリストに登録していくという事を行っていた。
【０００４】
【発明が解決しようとする課題】
しかしながら、このように、一覧表示の中から所望の楽曲データファイルを一つ一つ選択してプレイリストに登録していくことは、非常に手間のかかる作業である。また、このようなプレイリストが数多く作成されているときに、例えば、新たに、楽曲データが記録された場合、当該楽曲データを登録するプレイリストを選び、そのプレイリストに当該楽曲データファイルを登録するという作業も煩雑である。
【０００５】
そこで、上記課題に鑑みてなされたものであり、より利便性の高いプログラム情報に係るリストを提供することが可能な情報記録再生装置、情報記録再生装置におけるリスト作成方法および、リスト作成処理プログラムを提供することを目的する。
【０００６】
【課題を解決するための手段】
上記課題を解決するため、請求項１に記載の発明は、複数のプログラム情報とプログラム管理情報とが対応付けられて記録された情報データベースを備え、前記情報データベースに記録されたプログラム情報を再生する情報記録再生装置において、ユーザから、前記プログラム情報の検索条件の入力を受付ける検索条件受付手段と、前記情報データベースにおける前記プログラム管理情報に基づいて、前記受付けられた検索条件を満足するプログラム情報を特定するプログラム情報特定手段と、前記特定されたプログラム情報のリストを作成するリスト作成手段と、前記作成された前記リストを前記検索条件に対応付けて記憶手段に記憶するリスト記憶手段と、を備えるように構成する。
【０００７】
請求項１に記載の発明によれば、情報データベースに記録されたプログラム情報に対応するプログラム管理情報に基づいて、ユーザにより入力された検索条件を満足するプログラム情報を特定し、自動的にその検索条件に係る楽曲データのリストを作成し記憶するように構成したので、ユーザが好みのプログラム情報のリストを、簡単に、作成し記憶手段（例えば、メモリなどを含む記憶媒体）に記憶することができる。従って、ユーザが、情報データベースに記録されたプログラム情報を１つ１つ選択して、プレイリストに登録するという手間を削減することができる。よって、より利便性の高いプログラム情報に係るリストを提供することができる。
【０００８】
請求項２に記載の発明は、請求項１に記載の情報記録再生装置において、前記作成された前記リストを表示画面上に表示するリスト表示手段を備えるように構成する。
【０００９】
請求項２に記載の発明によれば、ユーザは、作成されたリストを表示画面上で見ることができる。
【００１０】
請求項３に記載の発明は、請求項１に記載の情報記録再生装置において、ユーザから前記リストの表示指示入力を受付けるリスト表示指示受付手段と、前記リストの表示指示入力が受付けられた場合には、前記記憶手段に記憶された前記リストを読み出し表示画面上に表示するリスト表示手段と、を備えるように構成する。
【００１１】
請求項３に記載の発明によれば、ユーザは、いつでも、記憶されたリストを記憶手段から読み出し、表示画面上に表示させることができる。
【００１２】
請求項４に記載の発明は、請求項１乃至３の何れか一項に記載の情報記録再生装置において、前記作成された前記リストに基づき、ユーザから前記プログラム情報の選択を受付けるプログラム情報選択受付手段と、前記選択されたプログラム情報を再生する情報再生手段と、を備えるように構成する。
【００１３】
請求項４に記載の発明によれば、ユーザは、再生するプログラム情報を作成されたリスト上から簡単に選択することができる。
【００１４】
請求項５に記載の発明は、請求項１乃至４の何れか一項に記載の情報記録再生装置において、プログラム管理情報が付与されたプログラム情報を新たに前記情報データベースに記録する情報記録手段と、前記新たに記録されるプログラム情報が、前記記憶手段に記憶された前記リストに対応する検索条件を満足するか否かを当該プログラム情報に対応するプログラム管理情報に基づいて判別し、満足する検索条件に対応する前記リストに、当該プログラム情報を追加するリスト追加手段と、を備えるように構成する。
【００１５】
請求項５に記載の発明によれば、情報データベースに、新たに記録されるプログラム情報を、検索条件に見合った既に作成されたプログラム情報のリストに自動的に追加登録することができる。従って、より一層、利便性の高いプログラム情報に係るリストを提供することができる。
【００１６】
請求項６に記載の発明は、請求項１乃至５の何れか一項に記載の情報記録再生装置において、前記プログラム情報は、楽曲データであるように構成する。
【００１７】
請求項６に記載の発明によれば、新たな楽曲のプレイリストを提供することができる。
【００１８】
請求項７に記載の発明は、複数のプログラム情報とプログラム管理情報とが対応付けられて記録された情報データベースを備え、前記情報データベースに記録されたプログラム情報を再生する情報記録再生装置におけるリスト作成方法において、ユーザから、前記プログラム情報の検索条件の入力を受付ける検索条件受付工程と、前記情報データベースにおける前記プログラム管理情報に基づいて、前記受付けられた検索条件を満足するプログラム情報を特定するプログラム情報特定工程と、前記特定されたプログラム情報のリストを作成するリスト作成工程と、前記作成された前記リストを前記検索条件に対応付けて記憶手段に記憶するリスト記憶工程と、を備えるように構成する。
【００１９】
請求項７に記載の発明によれば、請求項１に記載の発明と同様の効果を得ることができる。
【００２０】
請求項８に記載の発明は、請求項７に記載の情報記録再生装置におけるリスト作成方法において、プログラム管理情報が付与されたプログラム情報を新たに前記情報データベースに記録する情報記録工程と、前記新たに記録されるプログラム情報が、前記記憶手段に記憶された前記リストに対応する検索条件を満足するか否かを当該プログラム情報に対応するプログラム管理情報に基づいて判別し、満足する検索条件に対応する前記リストに、当該プログラム情報を追加するリスト追加工程と、を備えるように構成する。
【００２１】
請求項８に記載の発明によれば、請求項５に記載の発明と同様の効果を得ることができる。
【００２２】
請求項９に記載の発明は、複数のプログラム情報とプログラム管理情報とが対応付けられて記録された情報データベースを備え、前記情報データベースに記録されたプログラム情報を再生する情報記録再生装置に含まれるコンピュータを、前記情報データベースにおける前記プログラム管理情報に基づいて、ユーザにより入力された検索条件を満足するプログラム情報を特定するプログラム情報特定手段、前記特定されたプログラム情報のリストを作成するリスト作成手段、前記作成された前記リストを前記検索条件に対応付けて記憶手段に記憶するリスト記憶手段、として機能させるように構成する。
【００２３】
請求項９に記載の発明によれば、リスト作成処理プログラムがコンピュータに組み込まれることにより、請求項１に記載の情報記録再生装置を実現することができる。
【００２４】
請求項１０に記載の発明は、請求項９に記載のリスト作成処理プログラムにおいて、前記コンピュータを、前記新たに記録されるプログラム情報が、前記記憶手段に記憶された前記リストに対応する検索条件を満足するか否かを当該プログラム情報に対応するプログラム管理情報に基づいて判別し、満足する検索条件に対応する前記リストに、当該プログラム情報を追加するリスト追加手段として機能させるように構成する。
【００２５】
請求項１０に記載の発明によれば、リスト作成処理プログラムがコンピュータに組み込まれることにより、請求項５に記載の情報記録再生装置を実現することができる。
【００２６】
【発明の実施の形態】
以下、本発明の好適な実施の形態を添付図面に基づいて説明する。なお、以下の実施形態は、本発明にかかる情報記録再生装置をオーディオ装置に適用した場合の実施形態である。
【００２７】
先ず、図１を参照して、本実施形態にかかるオーディオ装置の構成および機能を説明する。
【００２８】
図１は、オーディオ装置の概要ブロック例である。図１に示すように、オーディオ装置１００は、ＣＤ１０に記録されたプログラム情報としての楽曲データを再生するＣＤ再生部１と、ＣＤ再生部１により再生された楽曲データに対して高速でデジタル信号処理を施して出力するＤＳＰ（Ｄｉｇｉｔａｌ　Ｓｉｇｎａｌ　Ｐｒｏｃｅｓｓｏｒ）２と、ＤＳＰ２から出力された楽曲データをデジタル／アナログ変換しアナログ音声信号として出力するＤＡＣ（Ｄｉｇｉｔａｌ−ｔｏ−Ａｎａｌｏｇ　Ｃｏｎｖｅｒｔｅｒ）４と、ＤＡＣ４から出力されたアナログ音声信号を増幅して出力するＡＭＰ（Ａｍｐｌｉｆｉｅｒ）５と、ＡＭＰ５から出力されたアナログ音声信号を音波として出力するスピーカ６と、ＤＳＰ２から出力された楽曲データをＨＤＤ１１に記録する情報記録手段およびＨＤＤ１１に記録された楽曲データを再生する情報再生手段としてのＨＤＤ記録再生部７と、上記各構成要素の動作制御を担う制御部８と、ユーザからの指示入力を受付け制御部８に出力したり、所定の情報を表示する操作／表示部９と、を含んで構成される。
【００２９】
ＣＤ再生部１は、ＣＤ１０を装着するための装着機構、ＣＤ１０に記録された楽曲データを光学的に読み取るピックアップ、ＣＤ１０を回転駆動するスピンドルモータ、スピンドルモータとピックアップをサーボ制御するサーボ回路などを備えており、楽曲データ（ＬＲＣＫ，ＢＣＫ，ＢＤＡＴＡ，Ｃ２ＰＯなどのデジタルデータ信号）を再生し、ＤＳＰ２に出力する。また、ＣＤ再生部１は、ＣＤ１０の最内周部に記録されたＴＯＣ（Ｔａｂｌｅ　ｏｆ　ｃｏｎｔｅｎｔ）情報を読み出し、制御部８に出力する。このＴＯＣ情報には、周知の如く、トラック番号、曲数、演奏時間などの管理情報が含まれている。また、ＣＤ再生部１は、ＣＤ１０にプロテクトがかかっていない場合には、テキスト情報を読み出し、制御部８に出力することができる。このテキスト情報には、例えば、楽曲タイトル、アルバムタイトル、アーティスト名、ジャンルなどの情報が含まれている。なお、かかるＣＤ再生部１には、公知の技術を適用できるので、更なる詳しい説明を省略する。また、ＣＤ再生部１では、ＡＴＡＰＩ接続であってもよい。
【００３０】
また、本実施形態では、ＣＤ再生部１を適用したが、例えば、ＤＶＤに記録された楽曲データを再生するＤＶＤ再生部や、ＭＤに記録された楽曲データを再生するＭＤ再生部や、メモリースティック（登録商標）などのカード型記録媒体に記録された楽曲データを再生するカード型記録媒体再生部などを適用してもよく、また、これらを併用するように構成してもよい。
【００３１】
ＤＳＰ２は、論理回路やメモリ回路を備えており、ＣＤ再生部１により再生された楽曲データに対して高速でデジタル信号処理、具体的には、ＣＤ再生部１により再生されたＲＦ（Ｒａｄｉｏ　Ｆｒｅｑｕｅｎｃｙ）信号の楽曲データに対してＥＦＭ（Ｅｉｇｈｔ　ｔｏ　Ｆｏｕｒｔｅｅｎ　Ｍｏｄｕｌａｔｉｏｎ）復調などの公知の音響処理を施して、当該楽曲データをＤＡＣ４およびＨＤＤ記録再生部７に出力する。なお、ＤＳＰ２は、楽曲データをＭＰ３、ＡＴＲＡＣ３等のフォーマットなどの所定の形式で圧縮した後、ＨＤＤ記録・再生部７に出力するように構成してもよい。
【００３２】
ＨＤＤ記録再生部７は、バッファメモリ、ＨＤＤドライブなどを備え、ＤＳＰ２から出力された楽曲データは、バッファメモリに一旦蓄えられた後、ＨＤＤドライブによりＨＤＤ１１に記録されることになる。また、ＨＤＤドライブによりＨＤＤ１１から再生された楽曲データは、バッファメモリに蓄えられた後、ＤＳＰ２に出力される。
【００３３】
ＨＤＤ１１には、情報データベースとしての楽曲データベースが論理的に構築可能である。楽曲データベースには、ＤＳＰ２から出力された楽曲データが、制御部８から出力されたプログラム管理情報（例えば、記録元のＣＤ１０のＴＯＣ情報や、テキスト情報）に対応付けられて記録される。また、楽曲データを記録する際、そのプログラム管理情報として、ユーザが、楽曲タイトルや、ジャンル、発売日等を、操作／表示部９を操作して入力し、楽曲データベースに登録することもできる。また、楽曲データを記録する際、そのプログラム管理情報として、制御部８が、楽曲タイトル等を、通信部３を介してインターネット上の所定のデータベースを備えたサーバにアクセスし、ダウンロードして、楽曲データベースに登録することもできる。
【００３４】
なお、かかるＨＤＤ記録再生部７には、公知の技術を適用できるので、更なる詳しい説明を省略する。また、本実施形態では、ＨＤＤ記録再生部７を適用したが、例えば、ＣＤ−Ｒに楽曲データを記録再生するＣＤ−Ｒ記録再生部や、ＤＶＤ−Ｒ／Ｗに楽曲データを記録再生するＤＶＤ−Ｒ／Ｗ記録再生部や、メモリースティック（登録商標）などのカード型記録媒体に楽曲データを記録再生するカード型記録媒体記録再生部などを適用してもよく、また、これらを併用するように構成してもよい。
【００３５】
制御部８は、演算機能を有するＣＰＵ、作業用ＲＡＭ、各種処理プログラムやデータを記憶するＲＯＭ、後述する楽曲データのリストを記憶する記憶手段としての不揮発性メモリ（例えば、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）などからなり、操作・表示部９からの指示に従い、ＣＤ再生部１の再生動作や、ＨＤＤ記録再生部７の記録再生動作を制御する。また、制御部８は、ＣＤ再生部１から出力されたＴＯＣ情報、テキスト情報を楽曲データに対応つけてＨＤＤ１１の楽曲データベースに記憶させるようにＨＤＤ記録再生部７を制御する。
【００３６】
また、制御部８におけるＲＯＭには、リスト作成処理プログラムが記憶されており、かかるプログラムにより、コンピュータとしての制御部８が、プログラム情報特定手段、リスト作成手段、リスト記憶手段、リスト表示手段、リスト追加手段として機能する。
【００３７】
より具体的には、制御部８は、ユーザから操作・表示部９によって楽曲データの検索条件（例えば、楽曲タイトル、ジャンル、アーティスト名、発売時期など）の入力が受付けられた場合に、プログラム情報特定手段として機能し、ＨＤＤ記録再生部７を介してＨＤＤ１１の楽曲データベースにおけるプログラム管理情報を参照し、当該プログラム管理情報に基づいて、受付けられた検索条件を満足する楽曲データを特定する。
【００３８】
また、制御部８は、リスト作成手段として機能し、特定された楽曲データのリスト（プレイリスト）を作成する。また、制御部８は、リスト記憶手段として機能し、作成された楽曲データのリストを、検索条件に対応付けて、不揮発性メモリに記憶する。また、制御部８は、リスト表示手段として機能し、作成された楽曲データのリストを操作・表示部９の表示画面上に表示する。
【００３９】
さらに、制御部８は、リスト追加手段として機能し、新たにＨＤＤ１１の楽曲データベースに記録される楽曲データが、不揮発性メモリに記憶された楽曲データのリストに対応する検索条件を満足するか否かを当該楽曲データに対応するプログラム管理情報に基づいて判別し、満足する検索条件に対応する楽曲データのリストに、新たに記録される楽曲データを追加する。
【００４０】
操作・表示部９は、ユーザからの指示入力を受付けるための操作ボタンを有し、ユーザから楽曲データの検索条件の入力を受付ける検索条件受付手段、ユーザから楽曲データのリストの表示指示入力を受付けるリスト表示指示受付手段、作成された楽曲データのリストに基づき、ユーザから楽曲データの選択を受付けるプログラム情報選択受付手段、としてそれぞれ機能する。また、操作・表示部９は、所定の情報を表示するための表示器を有し、その表示画面上に上述したリストが表示されることになる。
【００４１】
次に、図２乃至図４を参照して、オーディオ装置１００におけるリスト作成処理について説明する。
【００４２】
図２は、制御部８におけるリスト作成処理を示すフローチャートである。図３は、リスト作成処理において、操作・表示部９の表示器の表示画面上に表示された検索条件の入力画面例を示すための図である。図４は、リスト作成処理において、操作・表示部９の表示器の表示画面上に表示された楽曲データのリスト例を示すための図である。
【００４３】
図２に示す処理は、ユーザが、リスト作成処理開始指示を操作・表示部９ｂにおける所定の操作ボタンを押下することにより開始され、図３（Ａ）に示すように、操作・表示部９の表示器の表示画面９１上に楽曲データの検索条件の入力画面が表示される。このような楽曲データの検索条件の入力画面には、複数の検索条件（アーティスト、ジャンル、タイトル・・・）の一覧が表示されており、カーソル９１ａで示される検索条件（ジャンル）が現在選択されている検索条件である。
【００４４】
また、図３（Ａ）の例で示される他にも、複数の楽曲データの検索条件があり、これらについては、十字ボタン９２の操作によって、矢印マーク９１ｂの方向にスクロールして表示されることになる。このような表示状態で、ユーザが、十字ボタン９２を操作し、所望の検索条件を選択し、決定ボタン９３を押下すると、図３（Ｂ）に示すように、選択された検索条件の下位の検索条件が一覧となって表示されることになる。そして、例えば、図３（Ｂ）において、「ロック」がカーソル９１ａによって選択されている状態で、ユーザが、決定ボタン９３を押下すると、操作・表示部９が、楽曲データの検索条件として「ロック」の入力を受け付け、制御部８は、かかる検索条件を受付けたと判断し（ステップＳ１）、ステップに移行する。
【００４５】
なお、かかる検索条件は、例えば、階層構造的にテーブル化され、制御部８の不揮発性メモリに記憶されるか、或いは、ＨＤＤ１１に記憶される。また、かかる検索条件は、例えば、ＨＤＤ１１の楽曲データベースに記録された楽曲データに対応するプログラム管理情報に基づきテーブルに登録されるようにしてもよいし、ユーザによりテーブルに登録されるようにしてもよい。
【００４６】
また、本実施形態では、上記のように、予め入力すべき検索条件を登録しておき、そこから所望の検索条件を選択できるように構成したが、この他にも、例えば、ユーザが、操作・表示部９の十字ボタン９２等を操作して、画面上の入力欄に、その都度、検索条件を入力するように構成してもよい。
【００４７】
ステップＳ２では、制御部８が、ＨＤＤ記録再生部７を介してＨＤＤ１１における楽曲データベースに記録された各楽曲データのプログラム管理情報を参照し、当該プログラム管理情報に基づいて、受付けられた検索条件を満足する楽曲データを特定する。つまり、上述したように、ＨＤＤ１１の楽曲データベースに記録された各楽曲データには、プログラム管理情報が対応付けられており、例えば、ステップＳ１にて受付けられた検索条件が「ロック」であるとすると、制御部８は、プログラム管理情報からジャンルが「ロック」である楽曲データを特定する。
【００４８】
なお、本実施形態においては、一つの検索条件、例えば、「ロック」を満足する楽曲データを特定するように構成したが、これに限定されるものではなく、例えば、複数の検索条件のアンド条件によって絞り込みを行い楽曲データを特定するように構成してもよい。例えば、楽曲の発売時期（過去２年間）と、特定のアーティストとのアンド条件で楽曲データを特定するなどが考えられる。
【００４９】
次に、制御部８は、特定された楽曲データのリスト（リストデータ）を作成する（ステップＳ３）。この楽曲データのリストは、例えば、特定された楽曲データのタイトルに基づき作成される。次いで、制御部８は、作成されたリスト（リストデータ）を、当該検索条件に対応付けて、不揮発性メモリに記憶する（ステップＳ４）。次いで、制御部８は、作成されたリスト（リストデータ）を操作・表示部９の表示器の表示画面９１上に表示する（ステップＳ５）。
【００５０】
こうして、図４に示すように、操作・表示部９の表示器の表示画面９１上に表示された楽曲データのリスト９１ｃには、ユーザにより選択入力された検索条件「ジャンル」と「ロック」が表示されている。また、かかるリスト９１ｃには、その検索条件によって特定された楽曲データのタイトル（「ＡＡＡＡＡ」等）が、順番に表示されている。
【００５１】
また、図４の例では、リスト９１ｃにおける楽曲データのタイトル「ＡＡＡＡＡ」上にカーソル９１ｄが表示されており、かかるカーソル９１ｄは、十字ボタン９２の操作によって複数の楽曲データのタイトル上を移動する。これにより、ユーザは、リスト９１ｃ上の楽曲データの選択することができる。
【００５２】
そして、例えば、ユーザが、再生ボタン９４を押下し、楽曲データの選択が受付けられると、制御部８は、これに応じ、カーソル９１ｄが表示された、つまり、ユーザにより選択された楽曲データを再生すべく、ＨＤＤ記録再生部７を制御する。これにより、当該楽曲データがＨＤＤ１１からＨＤＤ記録再生部７により再生されることになる。
【００５３】
また、一旦、このようなリストが作成されると、そのリストは、不揮発性メモリに記憶されるので、操作・表示部９の表示器の表示画面９１上から消去された後にも、例えば、ユーザによるリストボタン９５の押下により、制御部８が、当該不揮発性メモリからリストを読み出し、表示画面９１上に表示することができる。
【００５４】
また、不揮発性メモリに記憶されたリストを読み出し、操作・表示部９の表示器の表示画面９１上に表示しなくとも、所定の操作ボタンにより、当該リストにおける楽曲データを再生するように構成しても構わない。
【００５５】
次に、図５および図６を参照して、オーディオ装置１００におけるリスト追加処理について説明する。図５は、制御部８におけるリスト追加処理を示すフローチャートである。図６は、リスト追加処理において、操作・表示部９の表示器の表示画面上に表示された楽曲データのリスト例を示すための図である。
【００５６】
図５に示す処理は、ＣＤ１０に記録された楽曲データがＨＤＤ１１に記録される際に開始される。即ち、ユーザからの操作・表示部９ｂを介した指示によって、制御部８が、ＣＤ再生部１に再生動作指令およびＨＤＤ記録・再生部７に記録動作指令を出力する時に開始される。
【００５７】
図５の処理において、先ず、制御部１０は、ＣＤ１０から再生された楽曲データに対応するプログラム管理情報を、ＣＤ再生部１から取得する（ステップＳ１１）。次いで、制御部８は、ＣＤ１０から再生された楽曲データが、不揮発性メモリに記憶された楽曲データのリストに対応する検索条件を満足するか否かを、取得されたプログラム管理情報に基づいて判別する（ステップＳ１２）。例えば、不揮発性メモリに記憶された楽曲データのリストに対応する検索条件が「ロック」であった場合に、新たに記録される楽曲データのジャンルが「ロック」であるか否かを、その楽曲データのプログラム管理情報に基づいて判別する。
【００５８】
なお、複数のリストが不揮発性メモリに記憶されていた場合には、各リスト毎に、再生された楽曲データが検索条件を満足するか否かを判別する。
【００５９】
次に、制御部８は、検索条件を満足する楽曲データを、その検索条件に対応する楽曲データのリストに追加する。例えば、その楽曲データのタイトルを、当該リストに追加登録する（ステップＳ１３）。
【００６０】
なお、当該楽曲データが、複数の楽曲データのリストの検索条件を満足する場合には、その楽曲データは、全てのリストに追加登録される。
【００６１】
そして、制御部８は、楽曲データ（タイトル）が追加されたリストを不揮発性メモリに記憶（更新）する（ステップＳ１４）。次いで、制御部８は、そのリストを操作・表示部９の表示器の表示画面９１上に表示する（ステップＳ１５）。
【００６２】
こうして、図６に示すように、操作・表示部９の表示器の表示画面９１上に表示された楽曲データのリスト９１ｃには、当該リスト９１ｃに追加登録された楽曲データのタイトル（「ＹＹＹＹＹ」）が表示される（カーソル９１ｄ部分）ことになる。このように追加された楽曲データは、カーソル９１ｄによる選択状態において、ユーザが再生ボタン９４を押下することにより、制御部８の制御の下、ＨＤＤ記録・再生部７によってＨＤＤ１１から再生されることになる。
【００６３】
以上説明したように本実施形態によれば、ＨＤＤ１１における楽曲データベースに記録された楽曲データに対応するプログラム管理情報およびユーザにより入力された検索条件により、ユーザが好みの楽曲データのプレイリストを、簡単に、作成し記憶することができる。従って、ユーザが、ＨＤＤ１１における楽曲データベースに記録された楽曲データファイルを１つ１つ選択して、プレイリストに登録するという手間を削減することができる。
【００６４】
また、ＨＤＤ１１における楽曲データベースに、新たに記録される楽曲データを、検索条件に見合った既に作成された楽曲データのプレイリストに自動的に追加登録することができる。
【００６５】
また、上記実施形態においては、楽曲データのリストの一例として、楽曲データのタイトルのリストを示したが、これに限定されるものではなく、他の要素（例えば、トラック番号）のリストであっても構わない。
【００６６】
また、上記実施形態においては、プログラム情報の一例として、楽曲データを示したが、これに限定されるものではなく、例えば、映像データ、文書データ、或いは、所定の処理を実行するプログラムであってもよい。
【００６７】
なお、上記実施形態においては、楽曲データに関する情報のリストを記憶する記憶手段として、不揮発性メモリを適用したが、これに限定されるものではなく、ＨＤＤ１１に楽曲データに関する情報のリストを記憶するように構成してもよい。
【００６８】
【発明の効果】
以上説明したように、本発明によれば、情報データベースに記録されたプログラム情報に対応するプログラム管理情報に基づいて、ユーザにより入力された検索条件を満足するプログラム情報を特定し、自動的にその検索条件に係る楽曲データのリストを作成し記憶するように構成したので、ユーザが好みのプログラム情報のリストを、簡単に、作成し記憶することができる。従って、ユーザが、情報データベースに記録されたプログラム情報を１つ１つ選択して、プレイリストに登録するという手間を削減することができる。よって、より利便性の高いプログラム情報に係るリストを提供することができる。
【００６９】
また、情報データベースに、新たに記録されるプログラム情報を、検索条件に見合った既に作成されたプログラム情報のリストに自動的に追加登録することができる。従って、より一層、より利便性の高いプログラム情報に係るリストを提供することができる。
【図面の簡単な説明】
【図１】オーディオ装置の概要ブロック例である。
【図２】制御部８におけるリスト作成処理を示すフローチャートである。
【図３】リスト作成処理において、操作・表示部９の表示器の表示画面上に表示された検索条件の入力画面例を示すための図である。
【図４】リスト作成処理において、操作・表示部９の表示器の表示画面上に表示された楽曲データのリスト例を示すための図である。
【図５】制御部８におけるリスト追加処理を示すフローチャートである。
【図６】リスト追加処理において、操作・表示部９の表示器の表示画面上に表示された楽曲データのリスト例を示すための図である。
【符号の説明】
１　ＣＤ再生部
２　ＤＳＰ
４　ＤＡＣ
５　ＡＭＰ
６　スピーカ
７　ＨＤＤ記録再生部
８　制御部
９　操作／表示部
１０　ＣＤ
１１　ＨＤＤ
１００　オーディオ装置
【図１】
2004005862.tif 000003
【図２】
2004005862.tif 000004
【図３】
2004005862.tif 000005
【図４】
2004005862.tif 000006
【図５】
2004005862.tif 000007
【図６】
2004005862.tif 000008